(57)【要約】      （修正有）【課題】排水ますに用いられる内副管を、接続される排水枝管の排水本管との位置関係に関係なく、使用することのできる、すなわち、多種多様の形状の内副管を用意する必要をなくし、排水ますに用いられる内副管の種類と形状の簡素化を図る。【解決手段】蓋体、点検筒および／またはアジャスター、ならびにインバートとからなる排水ますの上部の排水枝管用流入口の下方に配設される内副管を、漏斗状で上向きに開口した排水流入部を有する上部構造と、インバートを流れる排水の流れ方向に開口した排水流出部を有する下部構造から構成されるものとする。【選択図】図１
2006265819.tif 000002
【特許請求の範囲】
【請求項１】
蓋部材、点検筒およびインバート部とからなるものであって、
前記インバート部の上部の点検筒に開口される排水枝管の下方に、漏斗状で上向きに開口した排水流入部を有する上部構造と、前記インバート部を流れる排水の流れ方向に開口した排水流出部を有する下部構造から構成される内副管が配設されていること
を特徴とする排水ます。
【請求項２】
前記点検筒は、
前記インバート部に形成された立上り部に接続される所要長さと径を有する円筒体からなるもので、所要部位に開口される排水枝管の下方の、円筒体の内周部に前記上部構造を係止するための係止部を有すること
を特徴とする請求項１に記載の排水ます。
【請求項３】
前記点検筒は、
前記インバート部に形成された立上り部に接続される所要長さと径を有する円筒体から立上り管と、この立上り管に接続される円筒状のアジャスタからなるもので、前記アジャスタの所要部位に開口される排水枝管の下方の、アジャスタの内周部に、前記上部構造を係止するための係止部を有すること
を特徴とする請求項１に記載の排水ます。
【請求項４】
前記内副管は、
上部構造部材と、下部構造部材との分離可能な２部材からなるもので、両者の結合状態を変化させることにより、インバート部内を流れる排水の流れ方向に、前記下部構造部材の排水流出部の開口を合わせられるよう構成されていること
を特徴とする請求項１に記載の排水ます。
【請求項５】
前記内副管は、
上部構造部材と、下部構造部材との分離可能な２部材からなるもので、前記下部構造部材が、自重もしくはインバート部を流れる排水の流力及び／又は流量に応じて変形可能な材質で形成されていること
を特徴とする請求項１に記載の排水ます。
【請求項６】
前記内副管の下部構造部材は、
軟質の樹脂製又は布製の筒状体であること
を特徴とする請求項５に記載の排水ます。
【請求項７】
前記筒状体は、
インバート部の排水流出口上部に設けられた止め具により、前記止め具と対応する下端部が固定されていること
を特徴とする請求項６に記載の排水ます。
【請求項８】
前記点検筒は、
前記排水枝管からの排水を受け入れるための開口が複数設けられていること
を特徴とする請求項１〜３のいずれかに記載の排水ます。
【請求項９】
前記排水枝管は、
前記点検筒に対し、その開口が前記点検筒の軸心に対し偏心させて接続されていること
を特徴とする請求項１に記載の排水ます。
【請求項１０】
前記内副管は、
前記点検筒の内部に設けられた張出し縁に脱着自在の状態で取付けられていること
を特徴とする請求項１に記載の排水ます。
【請求項１１】
前記排水ますは、
排水本管と連通する底部のインバート部材と、このインバート部材の上部に連接される点検筒と、この点検筒の上部開口に装着される蓋部とからなるもので、前記インバート部材の立上り部もしくは前記点検筒の上下端の、いずれかの内側面または外側面に、それら部材の埋設位置を調節するための調節用螺子が設けられていること
を特徴とする請求項１に記載の排水ます。
【請求項１２】
前記点検筒は、
前記インバート部材の上部と連接する立上り管と、この立上り管に連接されるアジャスタとで構成されたもので、前記アジャスタの上下端のいずれかの内側面または外側面に、埋設位置を調節するための調節用螺子が設けられていること
を特徴とする請求項１１に記載の排水ます。
【請求項１３】
前記点検筒は、
そのいずれもが上端部に蓋受枠部と蓋からなる蓋部を有し、前記蓋受枠部の上下端のいずれかの内側面または外側面に、埋設位置を調節するための調節用螺子が設けられていること
を特徴とする請求項１１又は１２に記載の排水ます。
【請求項１４】
前記外側面に螺子を有するインバート部材、点検筒、点検筒を構成するアジャスタ、蓋受枠部は、
そのいずれか一つもしくは複数が、その外周部に前記調節用の螺子と噛み合う螺子が設けられているリング体を有すること
を特徴とする請求項１１〜１３のいずれかに記載の排水ます。
【請求項１５】
前記外側面に螺子を有するインバート部材、点検筒、点検筒を構成するアジャスタ、蓋受枠部は、
そのいずれかもしくは複数が、その内側面に前記調節用の螺子に噛み合う螺子が設けられていること
を特徴とする請求項１１〜１３のいずれかに記載の排水ます。
【請求項１６】
前記外側面に螺子を有するインバート部材、点検筒、点検筒を構成するアジャスタ、蓋受枠部は、
そのいずれかもしくは複数が、その外側面に前記螺子に噛み合う螺子が設けられていること
を特徴とする請求項１１〜１３のいずれかに記載の排水ます。
【請求項１７】
前記外側面に螺子を有するインバート部材、点検筒、点検筒を構成するアジャスタ、蓋受枠部は、
そのいずれかもしくは複数が、形成された螺子の末端部にシールリングが設けられていること
を特徴とする請求項１１〜１６のいずれかに記載の排水ます。
【請求項１８】
漏斗状で上向きに開口した排水流入部と、この排水流入部の下部に分離可能に接続される排水放出用の開口を有する排水流出部とからなること
を特徴とする排水ます用内副管。
【請求項１９】
前記排水流出部は、
その自重もしくはインバート部を流れる排水の流力及び／又は流量に応じて変形可能な材質で形成されていること
を特徴とする請求項１８に記載の排水ます用内副管。
【請求項２０】
前記排水流出部は、
軟質の樹脂製または布製の筒状体で形成されたものであること
を特徴とする請求項１８に記載の排水ます用内副管。
【請求項２１】
前記排水流入部は、
その外周部に排水ますへの脱着用の把持部を有するとともに、上部開口部の外周に点検筒内に形成された張出し縁に係止するための係止縁を有していること
を特徴とする請求項１８に記載の排水ます用内副管。
【発明の詳細な説明】
【技術分野】
【０００１】
この発明は、下水道などの配管に設けられる排水ます、および排水ます内に配置される内副管に関するもので、下水配管敷設技術に属するものである。
【背景技術】
【０００２】
戸建住宅の下水道などの排水配管には、配管内の点検のためと、排水枝管から排水本管への合流のために排水ますが広く用いられている。この排水ますには、通常、排水枝管から流入する排水の流路を制御するために、内副管と称される管体が、排水ますの内部または外部に設けられている。
【０００３】
すなわち、排水ますの設置に際し、排水本管と排水枝管との埋設レベルが一致していることはきわめて稀なため、多くの場合、排水枝管は排水本管よりも高い位置にある。そのため、排水枝管と排水本管との合流部に落差があり、この落差が大きいと、排水枝管から流入した排水が飛散するとともに、排水ますの内壁を侵食し磨耗させるため、それら汚水の飛散や排水ますの磨耗を防ぐために内副管が設けられている。
【０００４】
たとえば、特開平８−１０９６４７号公報（特許文献）には、インバート部の上部に形成される立上り管を分割し、その中間に、分岐接続口が突設された接続枠体を有する小型マンホールにおいて、下端開口部をインバート部に臨ませ、上端部を前記分岐接続口の流出口に接続するための内副管を、マンホールの内部または外部に設けられることが開示されている。
【０００５】
また、特開２００４−２７８０９５号公報（特許文献）においては、点検筒とインバートとからなる排水ますにおいて、前記排水ますの上部に流入口を設け、前記流入口と前記インバート流出口とを、Ｕターン状の流れにするような案内部材を内蔵した宅内設置の排水ますが開示されている。この案内部材とは、内副管そのもののことである。
【特許文献１】特開平  ８−１０９６４７号公報  （特許請求の範囲、図１、図７）
【特許文献２】特開２００４−２７８０９５号公報（特許請求の範囲、図２）
【発明の開示】
【発明が解決しようとする課題】
【０００６】
一般的に、排水本管と排水枝管との位置関係は、建物の構造変化、すなわち、排水発生箇所の多様化により、多種多様となっている。したがって、排水ますの設置に際しても、排水ますの設置箇所における排水本管の敷設方向と、排水枝管の敷設方向は種々雑多であって、一部は、その修正がエルボや曲管あるいは自在継手などで行なわれても、排水ますに取付けられる、排水本管と排水枝管との位置関係は、多岐にわたるものである。
【０００７】
したがって、排水ますを構成する部材、すなわち、インバート部材、立上り管、アジャスタ、さらには内副管について、排水本管と排水枝管との位置関係に応じた、種々の形状の部材を用意しなければならないのが現状で、それらの部材の製造、流通、在庫、選択等に多大な労力が注ぎ込まれている。
【０００８】
この発明はかかる現状に鑑み、敷設現場における施工性・作業性に優れた排水ますと、排水枝管の排水本管との位置関係に関係なく使用することができる排水ます用内副管を提供せんとするものである。
【課題を解決するための手段】
【０００９】
前記目的を達成するため、この発明の請求項１に記載の発明は、
蓋部材、点検筒およびインバート部とからなるものであって、
前記インバート部の上部の点検筒に開口される排水枝管の下方に、漏斗状で上向きに開口した排水流入部を有する上部構造と、前記インバート部を流れる排水の流れ方向に開口した排水流出部を有する下部構造から構成される内副管が配設されていること
を特徴とする排水ますである。
【００１０】
また、この発明の請求項２に記載の発明は、
請求項１に記載の排水ますにおいて、
前記点検筒は、
前記インバート部に形成された立上り部に接続される所要長さと径を有する円筒体からなるもので、所要部位に開口される排水枝管の下方の、円筒体の内周部に前記上部構造を係止するための係止部を有すること
を特徴とするものである。
【００１１】
また、この発明の請求項３に記載の発明は、
請求項１に記載の排水ますにおいて、
前記点検筒は、
前記インバート部に形成された立上り部に接続される所要長さと径を有する円筒体から立上り管と、この立上り管に接続される円筒状のアジャスタからなるもので、前記アジャスタの所要部位に開口される排水枝管の下方の、アジャスタの内周部に、前記上部構造を係止するための係止部を有すること
を特徴とするものである。
【００１２】
また、この発明の請求項４に記載の発明は、
請求項１に記載の排水ますにおいて、
前記内副管は、
上部構造部材と、下部構造部材との分離可能な２部材からなるもので、両者の結合状態を変化させることにより、インバート部内を流れる排水の流れ方向に、前記下部構造部材の排水流出部の開口を合わせられるよう構成されていること
を特徴とするものである。
【００１３】
また、この発明の請求項５に記載の発明は、
請求項１に記載の排水ますにおいて、
前記内副管は、
上部構造部材と、下部構造部材との分離可能な２部材からなるもので、前記下部構造部材が、自重もしくはインバート部を流れる排水の流力及び／又は流量に応じて変形可能な材質で形成されていること
を特徴とするものである。
【００１４】
また、この発明の請求項６に記載の発明は、
請求項５に記載の排水ますにおいて、
前記内副管の下部構造部材は、
軟質の樹脂製又は布製の筒状体であること
を特徴とするものである。
【００１５】
また、この発明の請求項７に記載の発明は、
請求項６に記載の排水ますにおいて、
前記筒状体は、
インバート部の排水流出口上部に設けられた止め具により、前記止め具と対応する下端部が固定されていること
を特徴とするものである。
【００１６】
また、この発明の請求項８に記載の発明は、
請求項１〜３のいずれかに記載の排水ますにおいて、
前記点検筒は、
前記排水枝管からの排水を受け入れるための開口が複数設けられていること
を特徴とするものである。
【００１７】
また、この発明の請求項９に記載の発明は、
請求項１に記載の排水ますにおいて、
前記排水枝管は、
前記点検筒に対し、その開口が前記点検筒の軸心に対し偏心させて接続されていること
を特徴とするものである。
【００１８】
また、この発明の請求項１０に記載の発明は、
請求項１に記載の排水ますにおいて、
前記内副管は、
前記点検筒の内部に設けられた張出し縁に脱着自在の状態で取付けられていること
を特徴とするものである。
【００１９】
また、この発明の請求項１１に記載の発明は、
請求項１に記載の排水ますにおいて、
前記排水ますは、
排水本管と連通する底部のインバート部材と、このインバート部材の上部に連接される点検筒と、この点検筒の上部開口に装着される蓋部とからなるもので、前記インバート部材の立上り部もしくは前記点検筒の上下端の、いずれかの内側面または外側面に、それら部材の埋設位置を調節するための調節用螺子が設けられていること
を特徴とするものである。
【００２０】
また、この発明の請求項１２に記載の発明は、
請求項１１に記載の排水ますにおいて、
前記点検筒は、
前記インバート部材の上部と連接する立上り管と、この立上り管に連接されるアジャスタとで構成されたもので、前記アジャスタの上下端のいずれかの内側面または外側面に、埋設位置を調節するための調節用螺子が設けられていること
を特徴とするものである。
【００２１】
また、この発明の請求項１３に記載の発明は、
請求項１１又は１２に記載の排水ますは、
前記点検筒は、
そのいずれもが上端部に蓋受枠部と蓋からなる蓋部を有し、前記蓋受枠部の上下端のいずれかの内側面または外側面に、埋設位置を調節するための調節用螺子が設けられていること
を特徴とするものである。
【００２２】
また、この発明の請求項１４に記載の発明は、
請求項１１〜１３のいずれかに記載の排水ますにおいて、
前記外側面に螺子を有するインバート部材、点検筒、点検筒を構成するアジャスタ、蓋受枠部は、
そのいずれか一つもしくは複数が、その外周部に前記調節用の螺子と噛み合う螺子が設けられているリング体を有すること
を特徴とするものである。
【００２３】
また、この発明の請求項１５に記載の発明は、
請求項１１〜１３のいずれかに記載の排水ますにおいて、
前記外側面に螺子を有するインバート部材、点検筒、点検筒を構成するアジャスタ、蓋受枠部は、
そのいずれかもしくは複数が、その内側面に前記調節用の螺子に噛み合う螺子が設けられていること
を特徴とするものである。
【００２４】
また、この発明の請求項１６に記載の発明は、
請求項１１〜１３のいずれかに記載の排水ますにおいて、
前記外側面に螺子を有するインバート部材、点検筒、点検筒を構成するアジャスタ、蓋受枠部は、
そのいずれかもしくは複数が、その外側面に前記螺子に噛み合う螺子が設けられていること
を特徴とするものである。
【００２５】
また、この発明の請求項１７に記載の発明は、
請求項１１〜１６のいずれかに記載の排水ますにおいて、
前記外側面に螺子を有するインバート部材、点検筒、点検筒を構成するアジャスタ、蓋受枠部は、
そのいずれかもしくは複数が、形成された螺子の末端部にシールリングが設けられていること
を特徴とするものである。
【００２６】
さらに、この発明の請求項１８に記載の発明は、
漏斗状で上向きに開口した排水流入部と、この排水流入部の下部に分離可能に接続される排水放出用の開口を有する排水流出部とからなること
を特徴とする排水ます用内副管である。
【００２７】
また、この発明の請求項１９に記載の発明は、
請求項１８に記載の排水ます用内副管において、
前記排水流出部は、
その自重もしくはインバート部を流れる排水の流力及び／又は流量に応じて変形可能な材質で形成されていること
を特徴とするものである。
【００２８】
また、この発明の請求項２０に記載の発明は、
請求項１８に記載の排水ます用内副管において、
前記排水流出部は、
軟質の樹脂製または布製の筒状体で形成されたものであること
を特徴とするものである。
【００２９】
また、この発明の請求項２１に記載の発明は、
請求項１８に記載の排水ます用内副管において、
前記排水流入部は、
その外周部に排水ますへの脱着用の把持部を有するとともに、上部開口部の外周に点検筒内に形成された張出し縁に係止するための係止縁を有していること
を特徴とするものである。
【発明の効果】
【００３０】
この発明の排水ますは、漏斗状で上向きに開口した排水流入部と、その排水流入部の下部に接続され、インバート部を流れる排水の流れ方向に開口した排水流出部とで構成された内副管を採用しているので、内副管の設置に際して、排水枝管、延いては排水ますの枝管取付け部の位置を考慮する必要はなく、インバート部を流れる排水の流れ方向に排水流出部の開口部を合わせるだけで、排水枝管からの排水を排水本管に容易に合流させることができるものである。
【００３１】
また、この発明の排水ます用内副管は、漏斗状で上向きに開口した排水流入部と、その排水流入部の下部に接続され、インバート部を流れる排水の流れ方向に開口した排水流出部とで構成されいるので、排水枝管や枝管取付け部の取付け位置に制限されることなく排水ますに取付けることができるので、従来のような、多種多様の内副管を揃えるという必要がなく、製品在庫の管理や、排水ますの施工性を著しく高めることができる。
【００３２】
さらに、この内副管は、下部の排水流出部を、自重もしくはインバート部を流れる排水の流力及び／又は流量に応じて変形可能な材質で形成すれば、内副管内を排水が流れないときは、排水流出部が縮形し、インバート部を流れる排水の流れを阻害することがなく、内副管内を排水が流れるときは、その流力及び／又は流量に応じて排水流出部が膨張し、排水流出部から流出する排水を、排水ますのインバート部を流れる排水の流れ方向に合わせることができるという優れた効果をも奏するものである。
【００３３】
さらにまた、内副管の排水流出部を、軟質の樹脂製または布製の筒状体とし、その下端部の一端を、インバート部の排水流出口の上部に設けられた止め具により、排水流出口上部に係止させることによって、内副管の排水流出部を、きわめて容易に、排水ますのインバート部を流れる排水の流れ方向に向けることができる。また、前記の排水流入部と合わせることにより、排水枝管の取付け位置など関係なく内副管を取付けることができ、排水ますの設置における制約の一つを消失させるという効果を奏するのである。
【００３４】
また、この発明の排水ますにおいては、嵌合により、また必要により接着剤を用いて接合されていたインバート部、立上り管あるいはアジャスタなどからなる点検筒について、それらの組立てにおいて螺合手段を併用すること、特にリング体を用いることにより、組立ての作業性を著しく向上させることができ、インバート部の排水管接続部とそれに接続する排水管との心合わせや蓋部表面を地表面（ＧＬ）に面合わせ、特にアジャスタに設けられた接続部と排水枝管との心合わせも、きわめて簡単に行なえる。したがって、埋設現場における排水ますの埋設位置の調整作業を、熟練を要しない、きわめて容易なものにすることができる。
【００３５】
さらに、この発明において、内副管の排水ますへの取付けを脱着自在に行なえることにすれば、排水ますの点検、掃除を容易にすることができ、また、組立ても容易にするものである。
【発明を実施するための最良の形態】
【００３６】
以下、この発明の排水ますと排水ます用内副管について、図面を参照しながら詳細に説明する。
【００３７】
図１に示す排水ます１は、相対する壁面にそれぞれ排水本管２，２をそれぞれ接続したインバート部３と、このインバート部３の上部に一体的に形成された立上り部４に接続される短い円筒状の立上り管６と、この立上り管６に接続されるアジャスタ７と、このアジャスタ７の上部に装着される蓋部９とから構成されるもので、前記排水ます1内には、内副管１３が着脱自在に取付けられたものである。なお、前記蓋部９は、前記アジャスタ７の上端部に装着される蓋受枠部１０と、この蓋受枠部１０に開閉自在に設けられる蓋１１とから構成されるものである。
【００３８】
この実施例においては、前記立上り管６と、この立上り管６に接続されるアジャスタ７とで点検筒５を構成しているもので、前記アジャスタ７の所要部位には、排水枝管１２を接続するための接続部８が一体的に成形されている。なお、この点検筒５は、排水枝管１２の接続部８を有するものであれば、所要長さの1本の円筒体で構成してもよいことは当然である。なお、前記接続部８は、実質的に排水枝管１２からの排水流入口となるものであるので、この明細書においては、必要に応じて「枝管流入口」という場合もある。
【００３９】
前記内副管１３は、漏斗状で上向きに開口した排水流入部１４と、この排水流入部１４の下部に接続される、開口１７を有する排水流出部１６とから構成されるもので、いずれも塩ビ樹脂などの比較的硬質の合成樹脂で形成されている。前記排水流入部１４は、上端開口部に点検筒５、この実施例においては、前記アジャスタ７の内径とほぼ等しい外径の張出し縁１５を有し、この張出し縁１５を前記アジャスタ７の下端開口部内に形成されたリング状の係止縁１８に上方から当接させることによって、点検筒５内に保持するよう構成されている。
【００４０】
かかる内副管１３は、図１に示すように、前記排水流入部１４の張出し縁１５を、アジャスタ７の下端開口部内に設けた係止縁１８上に載置するというきわめて簡便な手段で排水ます1内に装着することができる。また、前記排水流入部１４の上部に把持部１９を一体的に付設し、この把持部１９を利用することにより、排水ます１内への内副管１３の脱着を簡単に行なうことができる。
【００４１】
なお、図１の内副管１３は、上部に設けた張出し縁１５を利用して固定するものであるが、固定方法としては、これに限定されることはなく、図示はしないが、内副管１３の外壁に設けた突起と、それを受けるアジャスタ７の内壁に設けられる、前記突起を受け入れる溝状突起や平板状突起などにより固定することもできるものである。
【００４２】
図１に示されるように、この発明の内副管１３の排水流入部１４は、上面円形の漏斗状で、方向性がないものであるので、下部の排水流出口１６の開口１７を、アジャスタ７内を流れる排水の方向を排水本管２の流れ方向に合わせるだけで良いので、従来、排水枝管の位置、すなわち、排水枝管１２を接続するための接続部８の位置に合せた内副管を用意しなければならない、という手間を完全に消滅させることができる。しかも、従来、接続部８が、配管の多様性に対応できないときは、自在継手や曲管などを利用していたが、この発明の内副管では、そのような副資材を必要とするものでもないのである。
【００４３】
さらに、この発明の内副管１３は、従来のものとは異なり、排水枝管１２と個々に対応するものでないため、排水ます１に接続する排水枝管１２が複数存在しても、何ら問題なく、それらの数に影響されることなく、単一の内副管１３で対応可能であるので、従来の構造のものに比較して、その取り扱いをきわめて簡単にするものである。
【００４４】
なお、複数の排水枝管１２を排水ます１に接続する際は、図２に示すように、複数の排水枝管１２の取付けを、サイクロンタイプにすると、排水枝管１２から流入する排水の内副管１３内での流れが円滑になるので、接続方法として好ましい方法である。
【００４５】
なお、図１に示される排水ます１は、立上り管６がインバート部３の立上り部４に内嵌する形態を有し、立上り管６の下端外側面に螺子を形成し、この螺子に螺合する螺子をインバート部３の立上り部４の内側面に設けているので、螺子同士を噛合させながら、立上り管６を回転させると、立上り管６が上下動し、立上り管６とインバート部３の立上り部４における嵌合部の増減、すなわち、アジャスタ７の位置（高さ）を任意に決定することができ、地表面（ＧＬ）との面合わせ、さらには排水枝管１２との心合わせなどの埋設位置の調整が、煩雑な作業を伴わずに、簡単に行なうことができ、かつ微調整も容易にできる。
【００４６】
また、従来行なわれてきた埋設位置の調整、すなわち、立上り管６、アジャスタ７、さらには、前記蓋受枠部１０などの切断により概略調整し、微調整は上記螺子を利用することにすると、部材の種類を少なくすることができ、より効率的な作業が可能となる。
【００４７】
なお、立上り管６やインバート部３の立上り部４に設けられる螺子については、大きさや形状に格別の制限はなく、多条螺子や角螺子などの螺子も用いられる。また、立上り管６をインバート部３の立上り部４に内嵌させて螺子を設けてあるが、その嵌合状態を逆にして、螺子を設ける形態とすることもできる。
【００４８】
さらに、蓋受枠部１０の下端部とアジャスタ７の上端部、アジャスタ７の下端部と立上り管６の嵌合面にも同様な措置を取ることができ、蓋１１と地表面（ＧＬ）との面合わせを容易に行なうことができる。
【００４９】
各部材に設けられる螺子については、大きさや形状に格別の制限はなく、多条螺子や角螺子などの螺子も用いられる。また、各部材を螺子によって嵌合させた際、従来の嵌合でも採用されている、接着剤を併用し、液密をより完全なものにすることもできる。
【００５０】
図３および図４で示される排水ます２０は、基本的に前記図１に示した排水ます１と同一の構成を有するので、同一部位については同一符号で示すが、排水ます２０内に装着する内副管２１の構成が異なるものである。
【００５１】
すなわち、排水ます２０内に装着される内副管２１は、漏斗状で上向きに開口した樹脂製の排水流入部２２と、この排水流入部２２の下部に接続される、開口２５を有する排水流出部２４とから構成されるもので、前記排水流入部２２の上端開口部には、前記点検筒５を構成するアジャスタ７の内径とほぼ等しい外径の張出し縁２３を有し、この張出し縁２３を前記アジャスタ７の下端開口部内に形成されたリング状の係止縁２９に上方から当接させることによって、点検筒５内に保持するよう構成されている。
【００５２】
その際、前記排水流出部２４を、前記実施例における塩ビなどの樹脂材料に代えて、排水本管2内を流れる排水の流力及び／又は流量、さらには前記排水流出部２４自体の自重に応じて変形が可能な軟質の樹脂製または布製の筒状体で形成したものである。
【００５３】
かかる排水本管２内を流れる排水の流力及び／又は流量、さらには自重に応じて変形が可能な材質で形成されている前記排水流出部２４は、下部の開口部２５の一端が、排水ます２０内の排水流出口Ｘの上部に設けられた止め具２６に係止されている。
【００５４】
上記構成の内副管２１は、漏斗状で上向きに開口した排水流入部２２を介して、排水枝管１２からの排水が流入してくると、図３に示すように膨張して排水を通過させ、下部開口２５部の一端が、排水流出口Ｘの上部に係止されているため、排水の流れる方向を、排水本管２を流れる排水の流れ方向に一致させ、それらを合流させるものである。
【００５５】
内副管２１への、排水枝管１２からの排水の流入が停止すると、内副管２１は、図４に示すように、自重により変形して縮小する。縮小した内副管２１の下部、すなわち排水流出部２４はインバート部３に残存していても、材質的にインバート部３を流れる排水に逆らうものではなく、排水の流れを阻害するものではない。
【００５６】
また、この内副管２１は取外しが自由にできるものであるから、排水ます２０の点検や清掃の際は、把持部２７を利用して内副管２１を点検筒５内から取外すことによって、内部の点検が簡単にでき、清掃も容易に行なうことができる。
【００５７】
この排水ます２０においても、前記立上り管６がインバート部３の立上り部４に内嵌する形態を有し、立上り管６の下端部の外側面には螺子が設けられるとともに、当該螺子に螺合するリング体２８が立上り管６の外周部に設けられている。したがって、螺子同士を噛合させながら、リング体２８を回転させると、リング体２８が上下動し、立上り管６とインバート部３の立上り部４の嵌合部の増減、すなわち、アジャスタ７の位置（高さ）を任意に決定することができ、地表面（ＧＬ）との面合わせ、さらには排水枝管との心合わせなどの埋設位置の調整が、煩雑な作業を伴わずに、簡単に行なうことができ、かつ微調整も容易にできる。
【００５８】
また、従来行われてきた埋設位置の調整、すなわち、立上り管６、アジャスタ７、さらには蓋受枠部１０などの切断により概略調整し、微調整は上記リング体２８を利用することにすると、部材の種類を少なくすることができ、より効率的な作業が可能となる。
【００５９】
前記立上り管６とリング体２８に設けられる螺子については、大きさや形状に格別の制限はなく、多条螺子や角螺子などの螺子も用いられる。また、図３においては、立上り管６をインバート部３の立上り部４に内嵌させ、立上り管６の下端部の外側面に螺子を設けてあるが、その嵌合状態を逆にして、インバート部３に設けられた立上り部４の上端部の外側面に螺子を設け、それに螺合するリング体２８を設ける形態とすることもできる。
【００６０】
さらに、蓋受枠部１０の下端部とアジャスタ７の上端部、アジャスタ７の下端部と立上り管６の上端部の嵌合面にも同様な措置を取ることができ、蓋１１と地表面（ＧＬ）との面合わせを容易に行なうことができる。
【００６１】
さらにまた、各部材に設けられる螺子については、大きさや形状に格別の制限はなく、多条螺子や角螺子などの螺子も用いられる。また、各部材を螺子によって嵌合させた際、従来の嵌合でも採用されている、接着剤を併用し、液密をより完全なものにすることもできることは上記と同様である。
【００６２】
なお、螺子を用いて、上記部材を嵌合させる際には、嵌合面にシール性を付与するために、シールリング材３０を用いることが望ましく、シールリング材３０により嵌合部の液密性が維持され、排水の漏洩が防止される。さらに、それら部材を螺子で嵌合させた際も、従来の嵌合でも採用されている、接着剤を併用し、液密をより完全なものにすることもできる。
【００６３】
以上述べたように、この発明の排水ますにおける内副管１３又は２１は、漏斗状で上向きに開口した排水流入部と、この排水流入部の下部に連設される開口を有する排水流出部とから構成され、さらには、内副管を形成する下部の排水流出部を、軟質の樹脂製または布製の筒状体などの自重もしくはインバート部を流れる排水の流力及び／又は流量に応じてで変形可能な材質で形成することによって、排水枝管の取付け位置に関係なく内副管を取付けることが可能となる。
【００６４】
特に、インバート部３の排水流出口Ｘの上部に設けられた止め具２６に、軟質の樹脂製または布製の筒状体などからなる排水流出部の下端部の一端を、固定することにより、排水枝管１２の位置がどのようであれ、排水枝管１２に接続された排水流入部（接続部８）から流入してくる排水の流れを、インバート部３を流れる排水の流れ方向に合わせることができるので、排水枝管１２の位置に応じて多種類の内副管を用意する必要がない上、排水枝管の位置や数に制限されることなく、幅広く適用可能なものである。
【００６５】
また、この発明にかかる内副管２１の下部の排水流出部２４を、軟質の樹脂製または布製の筒状体などの材質で形成すれば、その長さの調整も、切断などにより容易に行なうことができる。さらに、排水流出口Ｘの上部に設けられた止め具２６への係止のための孔等も簡単に調整できるものである。なお、内副管２１の下端部を形成する排水流出部２４にあらかじめ、係止用に適した複数の孔を設けておくことも可能で、孔部の補強などもできるため好ましい方法である。
【産業上の利用可能性】
【００６６】
この発明の排水ますおよび排水ます用内副管は、汚水の飛散や排水ますの磨耗を防ぐという内副管本来の目的達成するに際し、内副管の排水ますへの枝管取付け部、さらには、排水枝管の取付け位置に関係なく設置することができ、排水ますの設置における制約の一つを消失させるという効果、インバート部を流れる排水の流れを阻害することがないという優れた効果、さらには、排水ますのインバート部の排水管接続部と、それに接続する排水管との心合わせや、蓋部表面を地表面（ＧＬ）への面合わせ、特に、アジャスタに設けられた枝管接続部と排水枝管との心合わせも、極めて簡単に行なうことができる。また、下水道敷設現場における排水ますの埋設位置の調整作業を、熟練を要しない、きわめて容易なものにすることができるので、土木建築関係の業界で広く利用できるものである。
【図面の簡単な説明】
【００６７】
【図１】この発明にかかる排水ますの一例を示す断面図であって、排水枝管からの排水が流入している状態を表すものである。
【図２】図１における排水ますの平面図である。
【図３】この発明にかかる排水ますの他の一例を示す断面図であって、排水枝管からの排水が流入している状態を表すものである。
【図４】図３における排水ますにおいて、排水枝管からの排水が非流入の状態を表すものである。
【符号の説明】
【００６８】
１，２０    排水ます
２          排水本管
３          インバート部材
４          立上り部
５          点検筒
６          立上り管
７          アジャスタ
８          排水枝管の接続口
９          蓋部
１０          蓋受枠部
１１          蓋
１２          排水枝管
１３，２１    内副管
１４，２２    排水流入部
１５，２３    張出し縁
１６，２４    排水流出口
１７，２５    排水流出口の開口
１８，２９    係止縁
１９，２７    把持部
【図１】
2006265819.tif 000003
【図２】
2006265819.tif 000004
【図３】
2006265819.tif 000005
【図４】
2006265819.tif 000006